(57)【要約】【課題】補充用のボトルをタンクに容易に装着できて、ボトルを安定的に支持することができ、その上で、零れずに液体をタンクに補充することのできる液体供給装置を提供する。【解決手段】ボトルが挿入可能な筒状のボトルホルダ部１４ａを上部に一体に有するタンク１０と、ポンプ１と、を具備する。ボトルホルダ部の下端には、口部を下に向けた姿勢で上方から挿入されたボトルの口部が嵌合可能な嵌合筒部２０と、ボトルの口部に設けられた封止シール３６を突き破りボトル内のウォッシャ液を排出させる突部２２とが設けられている。【選択図】図１
2018008560.tif 000002
【特許請求の範囲】
【請求項１】
補充用の液体を保持したボトルを口部を下に向けた姿勢で上方から挿入可能であり挿入されたボトルを嵌合保持する筒状のボトルホルダ部を上部に一体に有し、少なくともその下部の空間を前記液体の貯留空間としたタンクと、
前記タンクに装着され前記タンク内に格納された液体を供給先に向けて吐出するポンプと、を具備し、
前記ボトルホルダ部の下端には、該ボトルホルダ部に口部を下に向けた姿勢で上方から挿入された前記ボトルの口部が嵌合可能な嵌合筒部と、前記ボトルの口部が前記嵌合筒部に適正に嵌合された際に前記ボトルの口部に設けられた封止部材を押し開くことで前記ボトル内に保持された液体を前記貯留空間に排出させる突部と、が設けられている
ことを特徴とする液体供給装置。
【請求項２】
前記ボトルホルダ部の下部に、その下側の空間との間を仕切るための、中心に行くほど下方に向けて窄まった漏斗状の仕切壁が設けられており、その仕切壁の中心開口部に前記嵌合筒部が設けられている
ことを特徴とする請求項１に記載の液体供給装置。
【請求項３】
前記嵌合筒部に、前記ボトルの口部の嵌合時に前記嵌合筒部の拡径方向への弾性変形を容易にするスリットが設けられている
ことを特徴とする請求項１又は２に記載の液体供給装置。
【請求項４】
前記ボトルの前記口部と反対側の底壁に、前記ボトルを取り扱うための取っ手が設けられている
ことを特徴とする請求項１〜３のいずれか１項に記載の液体供給装置。
【請求項５】
前記ボトルの前記口部と反対側の底壁の外面に、折り取ることで前記底壁に空気の取込孔を開けることのできる針状突起が設けられている
ことを特徴とする請求項１〜４のいずれか１項に記載の液体供給装置。
【請求項６】
前記ボトルを前記ボトルホルダ部に挿入した状態で前記ボトルホルダ部の上端開口を塞ぐ蓋体が設けられている
ことを特徴とする請求項１〜５のいずれか１項に記載の液体供給装置。
【発明の詳細な説明】
【技術分野】
【０００１】
本発明は、主に車両に搭載されるウォッシャ液供給装置などの液体供給装置に関するものである。
【背景技術】
【０００２】
自動車等の車両には、ウインドシールドガラス（フロントガラスやリアガラス）の払拭を行うワイパ装置に付随して、必要時にウインドシールドガラスの払拭面に向けてウォッシャ液を噴射するウォッシャ液供給装置（液体供給装置）が設けられている。ウォッシャ液供給装置は、ウォッシャタンクに貯留したウォッシャ液をポンプで送り出してノズルから噴射する装置である。
【０００３】
このウォッシャ液供給装置のウォッシャタンク（以下、単に「タンク」という）には、適当量のウォッシャ液が貯留されるようになっている。ウォッシャ液の残量が少なくなった場合は、市販のボトルからウォッシャ液をタンクの充填孔に注ぎ込んで補充している。
【０００４】
ところが、ボトルからタンクの充填孔にウォッシャ液を注ぎ込む作業は、ボトルを手で支えながら徐々に傾けて行う必要がある。そのため、ウォッシャ液を注ぎ込む作業が煩わしく面倒である上、ウォッシャ液が外に零れやすいという問題がある。
【０００５】
そこで、それらの問題を解決するため、ボトルを倒立姿勢でタンクの充填孔に接続することにより、ボトル内のウォッシャ液をタンクに補充する装置が開発されている（例えば、特許文献１参照）。
【先行技術文献】
【特許文献】
【０００６】
【特許文献１】特表２０１０−５２２１１４号公報
【発明の概要】
【発明が解決しようとする課題】
【０００７】
しかしながら、特許文献１に記載された従来技術では、倒立姿勢にしたボトルの支持が不安定になりがちで、ボトルの装着が容易にできない可能性があった。
【０００８】
そこで、本発明は、上述した事情に鑑みてなされたものであって、補充用のボトルをタンクに容易に装着できて、ボトルを安定的に支持することができ、その上で、零れずに液体をタンクに補充することのできる液体供給装置を提供することを目的とする。
【課題を解決するための手段】
【０００９】
上記課題を解決するために、本発明に係る液体供給装置は、補充用の液体を保持したボトルを口部を下に向けた姿勢で上方から挿入可能であり挿入されたボトルを嵌合保持する筒状のボトルホルダ部を上部に一体に有し、少なくともその下部の空間を前記液体の貯留空間としたタンクと、前記タンクに装着され前記タンク内に格納された液体を供給先に向けて吐出するポンプと、を具備し、前記ボトルホルダ部の下端には、該ボトルホルダ部に口部を下に向けた姿勢で上方から挿入された前記ボトルの口部が嵌合可能な嵌合筒部と、前記ボトルの口部が前記嵌合筒部に適正に嵌合された際に前記ボトルの口部に設けられた封止部材を押し開くことで前記ボトル内に保持された液体を前記貯留空間に排出させる突部と、が設けられていることを特徴とする。
【００１０】
このように構成することで、ボトルを、口部を下に向けた姿勢で、タンクの上部のボトルホルダ部に挿入し、ボトルの口部をタンクの嵌合筒部に嵌合させるだけで、ボトルの口部の封止を解いて、内部に保持した液体をタンク内に補充することができる。従って、容易にボトルをタンクに装着することができ、零れることなく、ボトルからタンクに液体を補充することができる。また、ボトルは、ボトルホルダ部に挿入するだけで嵌合保持されるので、傾いたりせずに安定支持することができる。
【００１１】
本発明に係る液体供給装置において、前記ボトルホルダ部の下部に、その下側の空間との間を仕切るための、中心に行くほど下方に向けて窄まった漏斗状の仕切壁が設けられており、その仕切壁の中心開口部に前記嵌合筒部が設けられていることを特徴とする。
【００１２】
このように構成することで、ボトルホルダ部とその下側の空間とが画成される。従って、ボトルホルダ部の下側の空間だけを液体の貯留空間とする場合、仕切壁によってその貯留空間を、上側のボトルホルダ部に対してシールすることができ、タンクからの液体の溢れを確実に防ぐことができる。また、ボトルの挿入時には、仕切壁によって口部が嵌合筒部へと案内されるため、挿入性が向上する。さらに、仕切壁がボトルの口部が設けられる面を支持することで、嵌合筒部と口部への過度な負荷を防ぐことができる。
【００１３】
本発明に係る液体供給装置において、前記嵌合筒部に、前記ボトルの口部の嵌合時に前記嵌合筒部の拡径方向への弾性変形を容易にするスリットが設けられていることを特徴とする。
【００１４】
このように構成することで、ボトルの口部を、ボトルホルダ部の下端の嵌合筒部に容易に嵌合させることができる。即ち、ボトルの口部を嵌合筒部に押し込むと、嵌合筒部が外側に弾性的に撓むことで拡径し、嵌合筒部に対して口部を嵌合させやすくなる。例えば、ボトルの口部の外周に雄ネジを形成し、嵌合筒部の内周に雌ネジを形成している場合、嵌合筒部の雌ネジに対してボトルの口部の雄ネジを回転させながら、ねじ込んだり緩めたりする必要がある。その際、嵌合筒部が弾性的に拡径することによって、ボトルの口部に対して嵌合筒部が例えきつめに成形されている場合であっても、容易にねじ込んだり緩めたりすることができる。
【００１５】
また、例えば、雄ネジ及び雌ネジのネジ山の高さが小さい場合は、強めの力でボトルの口部を嵌合筒部に対して押し込んだり引き抜いたりすることにより、雄ネジのネジ山と雌ネジのネジ山を相互に乗り越えさせることも可能である。そのため、ボトルの口部を特にねじ込みのために回さないでも、雄ネジと雌ネジを係合させたり係合解除させたりすることができ、嵌合筒部に対する口部の挿抜が簡単にできる。なお、そのような挿抜を可能にする場合には、雄ネジと雌ネジの組み合わせに限らず、単なる係合凸部と係合凹部の組み合わせを選択してもよい。
【００１６】
本発明に係る液体供給装置において、前記ボトルの前記口部と反対側の底壁に、前記ボトルを取り扱うための取っ手が設けられていることを特徴とする。
【００１７】
このように構成することで、新しいボトルをタンクに挿入する場合や空のボトルをタンクから抜き取る場合に、取っ手を掴んで片手で、抜き差ししたり回したりすることができる。そのため、ボトルの取り扱い作業の容易化を図ることができる。
【００１８】
本発明に係る液体供給装置において、前記ボトルの前記口部と反対側の底壁の外面に、折り取ることで前記底壁に空気の取込孔を開けることのできる針状突起が設けられていることを特徴とする。
【００１９】
このように構成することで、ボトルの内部に上部から空気を取り込むことができ、ボトルの内部の液体を下を向いた口部から容易にタンク内に排出することができる。
【００２０】
因みに、ボトルの上部に空気の取込孔が無い場合は、下を向いた口部から空気が内部に入り込むことで、ボトル内の液体が排出されることになる。従って、ボトルの口部がタンク内の液体で塞がれている場合（つまり、ボトルの口部の開口がタンク内の貯留液体中に没している場合）は、空気がボトル内に取り込まれないので、ボトル内の液体は外に排出されない。そして、タンク内の液面レベルが下がり、ボトルの口部が液面から露出すると、口部から空気がボトル内に入り込み、ボトル内の液体が外に排出される。その後は、再びタンク内の液体で口部が塞がれることで、ボトル内の液体の排出が止まる。この繰り返しにより、タンク内の液体の液面レベルが、ボトルの口部の高さに一定に保たれる。
【００２１】
本発明に係る液体供給装置において、前記ボトルを前記ボトルホルダ部に挿入した状態で前記ボトルホルダ部の上端開口を塞ぐ蓋体が設けられていることを特徴とする。
【００２２】
このように構成することで、タンク内部にゴミやホコリなどが入り込むのを防ぐことができる。なお、タンクホルダ部に対する蓋体の固定は、ネジや凹凸係合部を設けるなどして行うことができる。
【発明の効果】
【００２３】
本発明によれば、補充用のボトルをタンクに容易に装着できてボトルを安定的に支持することができ、その上で、ボトル内の液体を零れずにタンクに補充することができる。
【図面の簡単な説明】
【００２４】
【図１】本発明の第１実施形態におけるウォッシャ液供給装置の一部を断面とした構成図である。
【図２】本発明の第１実施形態におけるボトルを示す斜視図である。
【図３】本発明の第２実施形態における要部構成図であり、（ａ）は仕切壁から嵌合筒部にかけてスリットが形成されていることを示す斜視図、（ｂ）は（ａ）のＡ−Ａ線で切断した場合の嵌合筒部の斜視図である。
【図４】本発明の第３実施形態におけるボトルの構成図で、（ａ）は全体断面図、（ｂ）は（ａ）のＢ部の拡大図、（ｃ）は（ｂ）における針状突起を折り取った後にボトルの底壁に空気の取込孔が形成されることを示す図である。
【図５】本発明の第４実施形態におけるボトルの構成図で、（ａ）は内容液が多量にあるときの状態を示す断面図、（ｂ）は内容液が少量になってボトルが縮んだ状態を示す断面図である。
【図６】本発明の第５実施形態における嵌合筒部とボトルの口部の関係を示す断面図である。
【図７】本発明の第６実施形態における嵌合筒部とボトルの口部の関係を示す断面図である。
【発明を実施するための形態】
【００２５】
以下、本発明の実施形態を、図面を参照して説明する。
以下に述べる各実施形態は、本発明の液体供給装置を車両用のウォッシャ液供給装置に適用したものであるが、本発明は、他の車両用液体の供給装置や車両以外の別の液体供給装置にも勿論適用できるものである。
【００２６】
＜第１実施形態＞
（ウォッシャ液供給装置）
図１は、第１実施形態におけるウォッシャ液供給装置１００の一部を断面とした構成図、図２は、ボトル３０を示す斜視図である。
【００２７】
図１に示すように、本実施形態のウォッシャ液供給装置１００は、ウォッシャ液（液体）を格納するタンク１０と、タンク１０の下部側面に装着されてタンク１０内に格納されたウォッシャ液を供給先に送り出すポンプ１と、補充用のウォッシャ液を保持しタンク１０に対して着脱されるボトル３０と、タンク１０の上端開口に装着される蓋体４０と、を具備している。
【００２８】
タンク１０は、下部側面の一部にポンプ装着用の凹み部１１ａを持つが、全体として円筒状に形成された周壁１１と、下端開口を塞ぐ底壁１２と、を備えている。ポンプ装着用の凹み部１１ａの壁には排出口１７が形成されている。排出口１７には、ポンプ１の吸込口２が接続されている。これにより、ポンプ１によってタンク１０内に貯留したウォッシャ液を供給先に送り出せる。
【００２９】
タンク１０は、ほぼ水平に配された内部の仕切壁１３によって上半部と下半部に画成されている。仕切壁１３の上側（上半部）は、補充用のボトル３０が挿入されるボトルホルダ部１４ａとして構成されている。仕切壁１３の下側（下半部）の空間は、液体の貯留部（貯留空間）１４ｂとして構成されている。
ボトルホルダ部１４ａは、補充用のウォッシャ液を保持したボトル３０を、その円筒状の口部３４を下に向けた姿勢で、上方から挿入可能な部分である。タンク１０の周壁１１は、円筒状のボトル３０の周壁３１よりやや径の大きいもので、挿入されたボトル３０を安定して嵌合保持することができる。
【００３０】
なお、ボトルホルダ部１４ａを含めてタンク１０が構成されている関係で、仕切壁１３の下側の貯留部１４ｂだけでなく、仕切壁１３の上側のボトルホルダ部１４ａにも、ウォッシャ液を貯留することができる。また、タンク１０は、新品のボトル３０をセットして全ウォッシャ液を補充後に直ぐにボトル３０を外しても溢れないだけの容量を持っている。
【００３１】
ボトルホルダ部１４ａの下端を画成する仕切壁１３は、中心に行くほど下方に向けて窄まった漏斗状の隔壁として形成されている。その仕切壁１３の中心開口部には、ボトル３０の口部３４が嵌合可能な嵌合筒部２０が設けられている。具体的には、嵌合筒部２０の周壁上端が、漏斗状の仕切壁１３の中心開口部の周縁に連結されている。
【００３２】
嵌合筒部２０の底面には円板状の底壁２１が設けられている。底壁２１の中央には、嵌合筒部２０と同心状に、上向きに円筒状の突部２２が設けられている。円筒状の突部２２の上端面は斜めのカット面とされており、そのカット面の先鋭化した先端（上端）で、ボトル３０の口部３４に貼られた封止シール３６（後述）を突き破ることができるようになっている。円筒状の突部２２の中心部には、上下に貫通した充填孔２３が開口している。これにより、突部２２によって封止を破られた口部３４から、ボトル３０内のウォッシャ液が貯留部１４ｂに排出される。
【００３３】
ここで、図１に加え図２を参照して、補充用のボトル３０の構成について述べる。
図２に示すように、ボトル３０は、円筒状の周壁３１と、下面開口を塞ぐ底壁３２と、上面開口を覆う円錐壁３３と、円錐壁３３の中心に設けられた円筒状の口部３４と、を有する。口部３４の下側には鍔部３５が設けられている。このボトル３０は、リサイクル性を考慮したＰＥＴ等の樹脂のブロー成形体により構成されている。
【００３４】
口部３４の先端開口は、ボトル内部に液体（ウォッシャ液）を充填した状態で、アルミシートや樹脂シート等の膜状の封止シール（封止部材）３６で塞がれている。これにより、詰め替え時にボトル３０を逆さにしても、内部のウォッシャ液が零れない。口部３４の外周には雄ネジ３４ａが刻まれており、この雄ネジ部３４ａにキャップ３８が螺合されることで、販売時や保管時などのタンク挿入時以外に、封止シール３６が破れたりしないように保護されている。
【００３５】
また、ボトル３０の口部３４と反対側の底壁３２には、図１に示すように、ボトル３０を手で取り扱うための取っ手３７が設けられている。この取っ手３７は、ボトル３０のブロー成形時に、両側の底壁３２を凹ませることで、手で掴める梁状に形成されている。
【００３６】
図１に戻り、嵌合筒部２０の内周には、ボトル３０の口部３４の外周の雄ネジ３４ａをねじ込むための雌ネジ２０ａが形成されている。また、嵌合筒部２０の上端と漏斗状の仕切壁１３の中心開口部の周縁との間には、ボトル３０の口部３４の下側に設けた鍔部３５を受け止めるリング状の段部１５が設けられている。
【００３７】
また、蓋体４０は、ボトル３０をボトルホルダ部１４ａに挿入した状態で、ボトルホルダ部１４ａの上端開口を塞ぐものであり、例えば、図示略のネジや他の係合手段により、タンク１１の上端に固定される。
【００３８】
次に作用を説明する。
このウォッシャ液供給装置１００のタンクにウォッシャ液を補充する場合は、新たなボトル３０を、口部３４を下に向けた姿勢で、タンク１０の上部のボトルホルダ部１４ａに挿入する。そして、ボトル３０の口部３４をタンク１０の嵌合筒部２０にねじ込みながら嵌合させる。その際、取っ手３７を片手で掴みながらボトル３０を回すことで、嵌合筒部２０にボトル３０の口部３４を容易にねじ込むことができる。また、ボトルホルダ部１４ａとボトル３０がそれぞれ円筒状であるため、ボトルホルダ部１４ａ内でボトル３０を容易に回転させることができ、口部３４を嵌合筒部２０にねじ込むことができる。
【００３９】
嵌合筒部２０にボトル３０の口部３４が嵌合されると、タンク１０側の突部２２が、ボトル３０の口部３４の封止シール３６を突き破り、ボトル３０の口部３４の封止が解かれる。それにより、ボトル３０の内部に保持されたウォッシャ液が、突部２２を上下方向に貫通する充填孔２３を通して、タンク１０の貯留部１４ｂに排出される。
【００４０】
このように、ボトル３０を逆さにしてボトルホルダ部１４ａに挿入し、ボトル３０の口部３４を嵌合筒部２０に嵌合させるだけで、ボトル３０内のウォッシャ液をタンク１０内に補充することができる。従って、容易にボトル３０をタンク１０に装着することができる上、零れることなく、ボトル３０からタンク１０にウォッシャ液を補充することができる。また、ボトル３０は、ボトルホルダ部１４ａに挿入するだけで嵌合保持されるので、傾いたりせずに安定支持することができる。
【００４１】
この場合、仕切壁１３によってボトルホルダ部１４ａとその下側の貯留部１４ｂとを画成している。そのため、貯留部１４ｂを、その上側のボトルホルダ部１４ａに対してシールすることができる。従って、タンク１０からのウォッシャ液の溢れを確実に防ぐことができる。また、ボトル３０の挿入時には、仕切壁１３によって口部３４が嵌合筒部２０へと案内されるため挿入性が向上する。さらに、仕切壁１３が円錐壁３３を支持することで、嵌合筒部２０と口部３４への過度な負荷を防ぐことができる。
【００４２】
なお、ボトル３０の底壁３２に、後述するような空気の取込孔が無い場合は、下を向いた口部３４から空気が内部に入り込むことで、ボトル３０内のウォッシャ液が排出されることになる。従って、ボトル３０の口部３４がタンク１０内のウォッシャ液で塞がれている場合（つまり、ボトル３０の口部３４の開口がタンク３０内の貯留ウォッシャ液中に没している場合）は、空気がボトル３０内に取り込まれない。そのため、ボトル３０内のウォッシャ液は外に排出されない。
【００４３】
そして、ウォッシャ液の消費に応じてタンク３０内の液面レベルが下がり、ボトル３０の口部３４が液面から露出すると、口部３４から空気がボトル３０内に入り込むため、ボトル３０内のウォッシャ液が外に排出される。その後は、再びタンク３０内のウォッシャ液で口部３４が塞がれることで、ボトル３０内のウォッシャ液の排出が止まる。この繰り返しにより、タンク３０内のウォッシャ液の液面レベルがボトル３０の口部３４の高さにほぼ一定に保たれる。
【００４４】
ボトル３０が空になったら、新しいボトル３０と交換する。その際、嵌合筒部２０に対してボトル３０の口部３４を、締め込み方向と反対方向に回すことで、ねじを緩めることができ、空のボトル３０を抜くことができる。このように、新しいボトル３０をタンク１０に挿入する場合や空のボトル３０をタンク１０から抜き取る場合に、取っ手３７を掴んで片手で、抜き差ししたり回したりすることができ、ボトル３０の取り扱い作業の容易化を図ることができる。
【００４５】
なお、完全に空になる前の段階でボトル３０を抜いても、ボトル３０内のウォッシャ液はボトルホルダ部１４ａ内に排出されるだけであるので、タンク１０外に零れることはない。
【００４６】
また、ボトル３０を付け替えるとき以外は蓋体４０を被せておくことにより、タンク１０の内部にゴミやホコリなどが入り込むのを防ぐことができる。
【００４７】
＜第２実施形態＞
次に、図３に基づいて、第２実施形態について説明する。
【００４８】
（ウォッシャ液供給装置）
図３は、本発明の第２実施形態における要部構成図であり、（ａ）は仕切壁から嵌合筒部にかけてスリットが形成されていることを示す斜視図、（ｂ）は（ａ）のＡ−Ａ線で切断した場合の嵌合筒部の斜視図である。なお、第１実施形態と同一態様には、同一符号を付して説明する（以下の実施形態についても同様）。
この第２実施形態のウォッシャ液供給装置２００では、図２（ａ）及び（ｂ）に示すように、タンク側の嵌合筒部２０に、ボトル３０の口部３４（図１参照）の嵌合時に嵌合筒部２０の拡径方向への弾性変形を容易にするスリット２８が設けられている。この点、前述の第１実施形態と相違する点である。
【００４９】
スリット２８は、嵌合筒部２０の周壁の周方向複数箇所に、上端から下端に向けて適当な長さで設けられている。これらのスリット１８の役目は、嵌合筒部２０の拡径方向への弾性変形を容易にするためであるから、それを有効にするために嵌合筒部２０の上端から仕切壁１３の適当な位置までスリット１８が連続して設けられている。
【００５０】
このようにスリット２８，１８を設けた場合は、ボトル３０の口部３４を、ボトルホルダ部１４ａの下端の嵌合筒部２０に容易に嵌合させることができる。即ち、ボトル３０の口部３４を嵌合筒部２０に押し込むと、嵌合筒部２０が外側に弾性的に撓むことで拡径し、嵌合筒部２０に対して口部３４を嵌合させやすくなる。
【００５１】
例えば、第１実施形態のように、ボトル３０の口部３４の外周に雄ネジ３４ａが形成され、嵌合筒部２０の内周に雌ネジ２０ａが形成されている場合、嵌合筒部２０の雌ネジ２０ａに対してボトル３０の口部３４の雄ネジ３４ａを回転させながら、ねじ込んだり緩めたりする必要がある。その際、嵌合筒部２０が弾性的に拡径することによって、ボトル３０の口部３４に対して嵌合筒部２０が例えきつめに成形されている場合であっても、容易にねじ込んだり緩めたりすることができる。
【００５２】
また、特に雄ネジ３４ａ及び雌ネジ２０ａのネジ山の高さが小さい場合は、強めの力でボトル３０の口部３４を嵌合筒部２０に対して押し込んだり引き抜いたりすることにより、雄ネジ３４ａのネジ山と雌ネジ２０ａのネジ山を相互に乗り越えさせることも可能である。そのため、ボトル３０の口部３４を特にねじ込みのために回さないでも、雄ネジ３４ａと雌ネジ２０ａを係合させたり係合解除させたりすることができる。よって、嵌合筒部２０に対する口部３４の挿抜が簡単にできる。
【００５３】
なお、そのような挿抜を可能にする場合には、雄ネジと雌ネジの組み合わせに限らず、単なる係合凸部と係合凹部の組み合わせを選択してもよい。
【００５４】
＜第３実施形態＞
次に、図４に基づいて、第３実施形態について説明する。
【００５５】
（ウォッシャ液供給装置）
図４は、本発明の第３実施形態のウォッシャ液供給装置３００におけるボトル３０の構成図で、（ａ）は全体断面図、（ｂ）は（ａ）のＢ部の拡大図、（ｃ）は（ｂ）における針状突起を折り取った後にボトルの底壁に空気の取込孔が形成されることを示す図である。
この第３実施形態のウォッシャ液供給装置３００では、図４（ａ）〜（ｃ）に示すように、ボトル３０の口部３４と反対側の底壁３２の外面に、針状突起３９が設けられている。この点、前述の第１実施形態と相違する点である。
【００５６】
針状突起３９は、この針状突起３９を矢印Ｐのように力を加えて折り取ることで、底壁３２に空気の取込孔３９ｂを開けることができる。針状突起３９を折り取った際に空気の取込孔３９ｂを確実に開けるには、図４（ｂ）に示すように、針状突起３９の内側に窪み３９ａを設けておくことが有効である。
【００５７】
このように空気の取込孔３９ｂを開けることができる場合は、ボトル３０の内部に、口部３４からではなく、上部（底壁３２側）から空気を取り込むことができる。そのため、ボトル３０の内部のウォッシャ液を下を向いた口部３４から容易にタンク１０内に排出することができる。この場合、タンク１０内の液面レベルに準じてボトル３０内の液面レベルが変化することになる。なお、針状突起３９を折り取って空気の取込孔３９ｂを開口させるのは、ボトル３０の口部３４をタンク１０側の嵌合筒部２０に確実に嵌合させた後に行う。
【００５８】
＜第４実施形態＞
次に、図５に基づいて、第４実施形態について説明する。
【００５９】
（ウォッシャ液供給装置）
図５は、本発明の第４実施形態のウォッシャ液供給装置４００におけるボトル１３０の構成図で、（ａ）は内容液が多量にあるときの状態を示す断面図、（ｂ）は内容液が少量になってボトルが縮んだ状態を示す断面図である。
【００６０】
この第４実施形態のウォッシャ液供給装置４００では、図５に示すように、ボトル１３０の周壁１３１を蛇腹状に成形して、ボトル１３０を上下方向に圧縮できるようにしている。この点、前述の第１実施形態と相違する点である。
【００６１】
このように構成することで、ボトル１３０内のウォッシャ液の減少に応じてボトル１３０の高さが縮小する。そのため、図４に示すように底壁に空気の取込孔を設けないでも、ウォッシャ液自身の自重でウォッシャ液がタンク１０内に容易に排出される。
【００６２】
＜第５実施形態＞
次に、図６に基づいて、第５実施形態について説明する。
【００６３】
（ウォッシャ液供給装置）
図６は、本発明の第５実施形態のウォッシャ液供給装置５００における嵌合筒部２２０とボトル２３０の口部２３４の関係を示す断面図である。
この第５実施形態のウォッシャ液供給装置５００では、図６に示すように、内周に雌ネジ２２０ａを有した嵌合筒部２２０の底壁２２１に、充填孔２２３と、上向きの棒状の突部２２２と、が設けられている。この点、前述の第１実施形態と相違する点である。
【００６４】
また、ボトル２３０側の雄ネジ２３４ａを有した口部２３４には、端壁２３５と、貫通孔２３６ａを有する筒部２３６と、が設けられている。そして、筒部２３６の内端に、弁体としての封止部材２３８が支点２３７により、貫通孔２３６ａの内端２３６ｂを開閉自在とするように支持されている。ここで、封止部材２３８は、ボトル２３０を逆さにした際には、ウォッシャ液の自重（力Ｎ）により、貫通孔２３６ａを閉止する位置に保持される。
【００６５】
この構成では、嵌合筒部２２０にボトル２３０の口部２３４がねじ込み嵌合されると、タンク側の突部２２２が、筒部２３６の貫通孔２３６ａに挿入されて、封止部材２３８を押し開く。それにより、ボトル２３０内のウォッシャ液がタンク内に排出される。
【００６６】
＜第６実施形態＞
次に、図７に基づいて、第６実施形態について説明する。
【００６７】
（ウォッシャ液供給装置）
図７は、本発明の第６実施形態のウォッシャ液供給装置６００における嵌合筒部２２０とボトル２３０の口部２３４の関係を示す断面図である。
この第６実施形態のウォッシャ液供給装置では、図７に示すように、ボトル３３０の口部２３４の筒部２３６の内端に、図６の第５実施形態の封止部材２３８の代わりに、ゴム栓よりなる封止部材３３８が設けられている。この点、前述の第５実施形態と相違する点である。
【００６８】
封止部材３３８は、バネ３３９の力を受けるバネ受け部材３３７により、筒部２３６の内端に押し付けられることで、貫通孔２３６ａの内端２３６ｂを閉止している。
この構成では、嵌合筒部２２０にボトル２３０の口部２３４がねじ込み嵌合されると、タンク側の突部２２２が、筒部２３６の貫通孔２３６ａに挿入されて、封止部材３３８を押し開く。それにより、ボトル２３０内のウォッシャ液がタンク内に排出される。
【００６９】
なお、本発明は上述の実施形態に限られるものではなく、本発明の趣旨を逸脱しない範囲において、上述の実施形態に種々の変更を加えたものを含む。
【符号の説明】
【００７０】
１…ポンプ
１０…タンク
１３…仕切壁
１４ａ…ボトルホルダ部
１４ｂ…貯留部（貯留空間）
１８，２８…スリット
３０，１３０，２３０，３３０…ボトル
３２…底壁
３４，２３４…口部
３６，２３８，３３８…封止シール（封止部材）
３７…取っ手
２０，２２０…嵌合筒部
２２，２２２…突部
３９…針状突起
３９ａ…空気の取込孔
４０…蓋体
１００，２００，３００，４００，５００，６００…ウォッシャ液供給装置（液体供給装置）
【図１】
2018008560.tif 000003
【図２】
2018008560.tif 000004
【図３】
2018008560.tif 000005
【図４】
2018008560.tif 000006
【図５】
2018008560.tif 000007
【図６】
2018008560.tif 000008
【図７】
2018008560.tif 000009